(57)【特許請求の範囲】
【請求項１】
地盤上層部と地盤下層部と間に粘性土からなる不透水層部を介在させた地盤に観測井を設置し、該観測井より取水した地下水を分析し、該地下水の状態を観測する地下水の観測方法において、
前記不透水層部の深さを事前に調査し、
管内外で連通した取水孔が形成されている有孔部を管軸方向の所望位置に備えている観測用管体を使用し、
該観測用管体内の土砂を掘削しつつ、下端が前記不透水層部に至るまで前記観測用管体を前記地盤に貫入させた後、前記観測用管体を前記有孔部が前記不透水層部に位置するまでさらに前記地盤に貫入させ、
然る後、前記観測用管体内の前記有孔部より下方を遮蔽体で閉鎖して前記観測用管体内を観測井とし、前記有孔部を前記調査に基づく前記不透水層部の深さに合わせた状態で前記不透水層部に浸透した水を前記取水孔を通して前記観測用管体内に取水することを特徴とする地下水の観測方法。
【請求項２】
前記観測用管体は、構造物用の基礎杭と略同形状に形成され、前記基礎杭と同様の工法により地盤に設置される請求項１に記載の地下水の観測方法。
【請求項３】
前記観測用管体を、その下端が支持基盤に至るまで貫入させ、観測後に前記観測用管体を構造物の基礎杭として使用する請求項１又は２に記載の地下水の観測方法。
【請求項４】
前記有孔部下の前記観測用管体内側面に遮蔽板を支持する支持凸部を備えておき、該支持凸部に支持させた前記遮蔽板で又は該遮蔽板上に遮蔽用充填材を充填することで前記遮蔽体を形成する請求項１〜３の何れか１に記載の地下水の観測方法。
【請求項５】
前記観測用管体に管軸方向で間隔を置いて複数の前記有孔部を形成しておき、複数の有孔部の少なくとも何れか一が前記不透水層部に位置するように観測用管体を地盤に貫入させ、前記不透水層部より上方に位置する有孔部の各取水孔を閉鎖するとともに、前記不透水層部に位置する最も下の前記有孔部の下方を前記遮蔽部で閉鎖する請求項１〜４の何れか１に記載の地下水の観測方法。
【請求項６】
請求項１〜５の何れか１の地下水の観測方法に使用する観測用管体であって、
管内外で連通した取水孔が形成されている有孔部を備え、前記地盤に設置された際に前記有孔部が前記不透水層部に位置するように配置されていることを特徴とする観測用管体。
【請求項７】
前記有孔部は、他の部分よりも管径方向の厚みが厚く形成されている請求項６に記載の観測用管体。
【請求項８】
前記有孔部下の内側面に管内を閉鎖する遮蔽板を支持する支持用凸部が突設された請求項６又は７に記載の観測用管体。
【発明の詳細な説明】
【技術分野】
【０００１】
本発明は、主に廃棄物処分場における遮水性能等を確認するための地下水の観測方法及びそれに使用する観測用管体に関する。
【背景技術】
【０００２】
一般破棄物及び産業廃棄物の最終処分場においては、地盤上層部に投入された廃棄物に起因する汚染水が地盤下層部に拡散することを防止するために、地盤上層部と地盤下層部との間に粘性土層等の不透水層部が設けられている。
【０００３】
この様な廃棄物処分場は、埋め立て作業が完了した後、その跡地が交通用地や工業用地等として高度利用される場合があり、その場合には、各用途に合わせて構造物が跡地に構築されるため、その基礎となる基礎杭が不透水層部を貫通して支持地盤に至るように打設されることがある。
【０００４】
廃棄物処分場の跡地への基礎杭の打設方法としては、基礎杭の打設に伴う廃棄物等の汚染物質の不透水層部（粘性土層）への連れ込みを抑制できること、基礎杭と不透水層部との境界部分を通じた透水量が極めて少ないこと等から中堀工法を利用した工法の採用が今後見込まれている。
【０００５】
一方、一般破棄物及び産業廃棄物の最終処分場においては、関連する法令に定められた技術上の基準、具体的には透水係数１×１０−７ｍ／ｓ以下、且つ、層厚５ｍ以上の不透水層部を有する場合と同等以上の遮水性能を満たす必要がある。
【０００６】
特に、廃棄物処分場跡地へ基礎杭を打設する場合には、基礎杭の打設に伴う廃棄物等の汚染物質の不透水層部への連れ込み、基礎杭と不透水層部との境界部を通じて汚染水が地盤下層部へ透水することが懸念されることから、これらの影響を確認する為に地下水の状況を観測する必要がある。
【０００７】
そこで、従来では、図１０に示すように、基礎杭１が打設される地盤２に下端が不透水層部２ｂ下の地盤下層部（滞水層部）２ｃに至る観測井３を設置し、観測井下端部のストレーナ部３ａを通して地盤下層部２ｃより地下水を採取し、その地下水を分析することで汚染水が地下水に拡散していないかを観測する方法が考えられる（例えば、特許文献1を参照）。
【先行技術文献】
【特許文献】
【０００８】
【特許文献１】特開２００１−２８００５２号公報
【発明の概要】
【発明が解決しようとする課題】
【０００９】
しかしながら、上述の如き従来の技術では、中堀工法を利用した工法により基礎杭を打設した場合、基礎杭と不透水層（粘性土層）との境界部を通じて汚染水が地盤下層部へ透過したとしても、その透過量が少なく不透水層を透過した汚染水が地下水により希釈されるため、従来の観測井を使用して地盤下層部より採取した水を分析しても実際の状態、特に基礎杭と不透水層部との境界部を通じた汚染水の透過を評価し難いという問題があった。
【００１０】
そこで、本発明は、このような従来の問題に鑑み、廃棄物最終処分場跡地に基礎杭を打設する場合に基礎杭と不透水層との境界部を通じた透水等を評価可能な地下水の観測方法及びそれに使用する観測用管体の提供を目的としてなされたものである。
【課題を解決するための手段】
【００１１】
上述の如き従来の問題を解決するための請求項1に記載の発明の特徴は、地盤上層部と地盤下層部と間に粘性土からなる不透水層部を介在させた地盤に観測井を設置し、該観測井より取水した地下水を分析し、該地下水の状態を観測する地下水の観測方法において、前記不透水層部の深さを事前に調査し、管内外で連通した取水孔が形成されている有孔部を管軸方向の所望位置に備えている観測用管体を使用し、該観測用管体内の土砂を掘削しつつ、下端が前記不透水層部に至るまで前記観測用管体を前記地盤に貫入させた後、前記観測用管体を前記有孔部が前記不透水層部に位置するまでさらに前記地盤に貫入させ、然る後、前記観測用管体内の前記有孔部より下方を遮蔽体で閉鎖して前記観測用管体内を観測井とし、前記有孔部を前記調査に基づく前記不透水層部の深さに合わせた状態で前記不透水層部に浸透した水を前記取水孔を通して前記観測用管体内に取水する地下水の観測方法にある。
【００１２】
請求項２に記載の発明の特徴は、請求項１の構成に加え、前記観測用管体は、構造物用の基礎杭と略同形状に形成され、前記基礎杭と同様の工法により地盤に設置されることにある。
【００１３】
請求項３に記載の発明の特徴は、請求項１又は２の構成に加え、前記観測用管体を、その下端が支持基盤に至るまで貫入させ、観測後に前記観測用管体を構造物の基礎杭として使用することにある。
【００１４】
請求項４に記載の発明の特徴は、請求項１〜３の何れか１の構成に加え、前記有孔部下の前記観測用管体内側面に遮蔽板を支持する支持凸部を備えておき、該支持凸部に支持させた前記遮蔽板で又は該遮蔽板上に遮蔽用充填材を充填することで前記遮蔽体を形成することにある。
【００１５】
請求項５に記載の発明の特徴は、請求項１〜４の何れか１の構成に加え、前記観測用管体に管軸方向で間隔を置いて複数の前記有孔部を形成しておき、複数の有孔部の少なくとも何れか一が前記不透水層部に位置するように観測用管体を地盤に貫入させ、前記不透水層部より上方に位置する有孔部の各取水孔を閉鎖するとともに、前記不透水層部に位置する最も下の前記有孔部の下方を前記遮蔽部で閉鎖することにある。
【００１６】
請求項６に記載の発明の特徴は、請求項１〜５の何れか１の地下水の観測方法に使用する観測用管体であって、管内外で連通した取水孔が形成されている有孔部を備え、前記地盤に設置された際に前記有孔部が前記不透水層部に位置するように配置されている観測用管体にある。
【００１７】
請求項７に記載の発明の特徴は、請求項６の構成に加え、前記有孔部は、他の部分よりも管径方向の厚みが厚く形成されていることにある。
【００１８】
請求項８に記載の発明の特徴は、請求項６又は７の構成に加え、前記有孔部下の内側面に管内を閉鎖する遮蔽板を支持する支持用凸部が突設されたことにある。
【発明の効果】
【００１９】
本発明に係る地下水の観測方法は、上述したように、地盤上層部と地盤下層部と間に粘性土からなる不透水層部を介在させた地盤に観測井を設置し、該観測井より取水した地下水を分析し、該地下水の状態を観測する地下水の観測方法において、前記不透水層部の深さを事前に調査し、管内外で連通した取水孔が形成されている有孔部を管軸方向の所望位置に備えている観測用管体を使用し、該観測用管体内の土砂を掘削しつつ、下端が前記不透水層部に至るまで前記観測用管体を前記地盤に貫入させた後、前記観測用管体を前記有孔部が前記不透水層部に位置するまでさらに前記地盤に貫入させ、然る後、前記観測用管体内の前記有孔部より下方を遮蔽体で閉鎖して前記観測用管体内を観測井とし、前記有孔部を前記調査に基づく前記不透水層部の深さに合わせた状態で前記不透水層部に浸透した水を前記取水孔を通して前記観測用管体内に取水することにより、基礎杭と不透水層部との境界部分を通じた汚染水透過の有無及びその透過状況を確認することができる。
【００２０】
また、本発明において、前記観測用管体は、構造物用の基礎杭と略同形状に形成され、前記基礎杭と同様の工法により地盤に設置されることにより、観測用管体内に流入した水を分析することで、不透水層部を貫通する基礎杭を設置した場合の汚染水の透過状況を評価することができる。
【００２１】
更に、本発明において、前記観測用管体を、その下端が支持基盤に至るまで貫入させ、観測後に前記観測用管体を構造物の基礎杭として使用することにより、観測用管体を基礎杭として有効に利用することができる。
【００２２】
更にまた、本発明において、前記有孔部下の前記観測用管体内側面に遮蔽板を支持する支持凸部を備えておき、該支持凸部に支持させた前記遮蔽板で又は該遮蔽板上に遮蔽用充填材を充填することで前記遮蔽体を形成することにより、観測用管体内の有孔部より下側に好適に遮蔽体を設けることができる。
【００２３】
また、本発明において、前記観測用管体に管軸方向で間隔を置いて複数の前記有孔部を形成しておき、複数の有孔部の少なくとも何れか一が前記不透水層部に位置するように観測用管体を地盤に貫入させ、前記不透水層部より上方に位置する有孔部の各取水孔を閉鎖するとともに、前記不透水層部に位置する最も下の前記有孔部の下方を前記遮蔽部で閉鎖することにより、支持地盤部の深さや観測用管体の貫入深さ等が不明であっても有孔部の位置を不透水層部に合わせることができる。
【００２４】
本発明に係る観測用管体は、請求項１〜５の何れか１の地下水の観測方法に使用する観測用管体であって、管内外で連通した取水孔が形成されている有孔部を備え、前記地盤に設置された際に前記有孔部が前記不透水層部に位置するように配置されていることにより、地盤上層部からの透水の有無及びその透過状況を確認可能な観測井に使用することができる。
【００２５】
また、本発明において、前記有孔部は、他の部分よりも管径方向の厚みが厚く形成されていることにより、取水孔を設けたことによる断面欠損を補強し、観測用管体の強度を確保することができる。
【００２６】
更に、本発明において、前記有孔部下の内側面に管内を閉鎖する遮蔽板を支持する支持用凸部が突設されたことにより、適正な箇所に遮蔽体を容易に設けることができる。
【図面の簡単な説明】
【００２７】
【図１】本発明に係る地下水の観測方法の実施態様の一例を示す縦断面図である。
【図２】（ａ）〜（ｃ）はそれぞれ図１中の観測用管体に使用する有孔管材の有孔部部分を示す正面図である。
【図３】（ａ）〜（ｈ）は地下水の観測方法における観測用管体の設置行程を示す縦断面図である。
【図４】図１中の有孔部部分の状態を示す縦断面図である。
【図５】本発明に係る地下水の観測方法の実施態様の他の一例を示す縦断面図である。
【図６】（ａ）〜（ｆ）は地下水の観測方法における観測用管体の設置行程の他の実施例を示す縦断面図である。
【図７】本発明に係る地下水の観測方法の実施態様の更に他の一例を示す縦断面図である。
【図８】（ａ）は図７中の観測用管体の有孔部部分を示す縦断面図、（ｂ）は同Ａ−Ａ線断面図、（ｃ）Ｂ−Ｂ線断面図である。
【図９】有孔管材の更に他の一例を示す縦断面図である。
【図１０】従来の地下水の観測方法の態様を示す縦断面図である。
【発明を実施するための形態】
【００２８】
次に、本発明に係る地下水の観測方法及びそれに使用する観測用管体の実施態様を図に示した実施例に基づいて説明する。
【００２９】
図１に示す実施例では、交通用地や工業用地として高度利用される廃棄物最終処分場跡地における地下水の観測を例に説明し、上述の従来例と同様の構成には同一符号を付して説明する。
【００３０】
この廃棄物処分場跡地の地盤２は、廃棄物が投入されている地盤上層部２ａ下に粘性土等からなる不透水層部２ｂを備え、不透水層部２ｂにより地盤上層部２ａと不透水層部２ｂ下の地盤下層部２ｃとが遮水されている。
【００３１】
また、この廃棄物最終処分場跡地では、交通用地や工業用地として高度利用されるに際し、構造物の基礎を成す基礎杭１が不透水層部２ｂを貫通して下端が支持地盤２ｄに至るまで貫入されるようになっている。
【００３２】
基礎杭１は、鋼管等の杭管材１ａ，１ａ...を順次連結することにより形成され、中堀工法によりその内部の土砂を排出しつつ、下端が不透水層部２ｂに至るまで地盤２に貫入させ、その位置から打撃による打ち込み等によって下端が支持地盤２ｄに至るまで貫入させることで設置される。
【００３３】
この様な廃棄物最終処分場跡地において、本発明方法は、管内外で連通した取水孔１０，１０...が形成されている有孔部１１を管軸方向の所望位置に備えている観測用管体１２を使用し、この観測用管体１２を有孔部１１が不透水層部２ｂに位置するように地盤２に設置することで観測用管体１２内を観測井とし、取水孔１０，１０...を通して観測用管体１２内に流入した地下水を取水し、その地下水を分析することで地下水の状態を観測するようになっている。
【００３４】
観測用管体１２は、基礎杭１と略同形状に形成され、管内外で連通した取水孔１０，１０...が形成されている有孔部１１を管軸方向の所望の位置に備え、地盤２に設置された際に有孔部１１が不透水層部２ｂに位置するようになっている。
【００３５】
この観測用管体１２は、基礎杭１と同様の鋼管等からなる杭管材１ａ，１ａ...と、有孔部１１を有する有孔管材１３とを地盤２への貫入に伴い適宜溶接等によって連結することで形成され、基礎杭１と同様に中堀工法を利用した工法により地盤２に設置されるようになっている。
【００３６】
杭管材１ａ，１ａ...は、基礎杭１に使用される鋼管等によって管軸方向の両端が開口した円筒状に形成され、管径方向で管内外が遮蔽されている。
【００３７】
有孔管材１３は、杭管材１ａと同様の鋼管等によって管軸方向の両端が開口した円筒状に形成され、管軸方向の所望の位置に管内外で貫通した複数の取水孔１０，１０...からなる有孔部１１を備えている。
【００３８】
有孔部１１の態様は、特に限定されないが、例えば、管軸方向に向けたスリット状の取水孔１０，１０...が管周方向に間隔を置いて形成された図２（ａ）に示す縦長型や、管周方向に互いに間隔を置いて形成された複数の横長スリット状の取水孔１０，１０...を管軸方向で多列配置に備えた図２（ｂ）に示す横長型、多数の丸孔状の取水孔１０，１０...からなる図２（ｃ）に示す丸孔型等とすることができる。
【００３９】
尚、図２（ｂ）に示す横長型では、管周方向に間隔を置いて形成された複数の取水孔１０，１０...の管周方向位置を列毎にずらして形成すること、即ち、取水孔１０，１０...の位置を列毎に互い違い状に配置し、且つ、周方向端が上下で互いにオーバーラップするように取水孔１０，１０...を形成することで理論上、観測用管体１２の全周より取水できるようになっている。
【００４０】
また、有孔部１１には、例えば、不透水層部２ｂの土砂が脆い場合等の必要に応じて、パンチングメタルやフィルター材等からなる透水性を有する透水遮蔽材で取水孔１０を閉鎖し、取水孔１０からの取水を可能としつつ、観測用管体１２内に不透水層部２ｂの土砂が押し込まれないようにしてもよい。
【００４１】
次に、観測用管体１２を地盤２に設置し、地下水を観測する具体的な方法を図３（ａ）〜図３（ｇ）に基づいて説明する。
【００４２】
まず、事前準備として、計画図や設計図等に基づき、或いは、必要に応じて観測対象となる地盤２においてボーリング調査等を実施して地盤上層部２ａ、不透水層部２ｂ、地盤下層部２ｃの各層の深さや支持地盤２ｄの深さやその状態を確認しておく。
【００４３】
そして、図３（ａ）に示すように、図示しないハンマーグラブやオーガ等の掘削手段を用いて杭管材１ａ内の土砂を掘削しつつ、下端が不透水層部２ｂに至るまで杭管材１ａを地盤上層部２ａに貫入させる。
【００４４】
その際、杭管材１ａの上端は、地盤２表面より突出した状態とし、地盤上層部２ａにおいて管内外が遮蔽されている。
【００４５】
次に、図３（ｂ）に示すように、貫入された杭管材１ａの上端に有孔管材１３を溶接等により連結し、その状態から図３（ｃ）に示すように、図示しない杭打ち機等により打撃を加えて観測用管体１２を地盤２の所望の位置まで貫入させる。
【００４６】
その後、図３（ｄ）に示すように、観測用管体１２の上端に杭管材１ａを溶接等により連結し、図３（ｅ）に示すように、更に杭打ち機等により打撃を加えて観測用管体１２を有孔部１１が不透水層部２ｂに位置し、且つ、下端が支持地盤２ｄに至るまで地盤２に貫入させる。
【００４７】
尚、有孔部１１の位置は、不透水層部２ｂの中間部より下方に位置することが望ましく、また、直径Ｄの開端杭では、不透水層部２ｂが正規圧密の場合で深さＤ程度、不透水層部２ｂが過圧密の場合で深さ３Ｄ程度の地盤上層部２ａ（廃棄物層）からの連れ込みが実験等で確認されていることから、有孔部１１の上端位置が不透水層部２ｂの上端から深さＤ〜３Ｄの位置になるように貫入させることが好ましい。
【００４８】
そして、図３（ｆ）に示すように、所望の深さまで観測用管体１２内の土砂を掘削し、観測用管体１２の有孔部１１の下方までの土砂を取り除き、図３（ｇ）に示すように、観測用管体１２の有孔部１１より下方を遮蔽体１４で閉鎖して観測用管体１２の遮蔽体１４より上部を観測井とする。
【００４９】
遮蔽体１４は、例えば、コンクリートを打設することにより形成され、観測用管体１２の有孔部１１より下側が閉鎖され、観測井を構成する部分に地盤下層部２ｃからの水が流入しないようになっている。
【００５０】
そして、このように設置された観測用管体１２では、観測用管体１２の貫入に伴う汚染物質等の不透水層部２ｂへの連れ込みを抑制でき、観測用管体１２と不透水層部２ｂとの境界部分を通じた透水量を極めて少なくすることができる。
【００５１】
この観測用管体１２からなる観測井を用いて地下水を観測するには、まず、観測井内の水を揚水するための揚水手段１５を設置する。尚、揚水手段１５は、図４に示すように、観測井内に揚水ポンプを設置した場合を例示したが、その態様は、特に限定されず、例えば、観測井内の水位によって地表部に揚水ポンプを設置して汲み上げるようにしてもよい。
【００５２】
そして、この揚水手段１５を稼働させ、観測井内に貯留した水を排除し、観測井内の水位を有孔部１１の位置より低くし、図１に示すように、管内外において地盤上層部２ａ内の水位（地下水位）との水頭差ｈが大きい状態にする。
【００５３】
このように管内外での水頭差ｈが大きいことから、図４に示すように、観測用管体１２と不透水層部２ｂとの境界部分に水ｗが浸透した場合、その水ｗは不透水層部２ｂを下方の地盤下層部２ｃに向かって透過せずに、取水孔１０，１０...より観測用管体１２内に流入して貯留される。
【００５４】
従って、水位を確認した上で、取水孔１０，１０...より観測用管体１２内に流入した水を揚水手段１５で地上に揚水して採取し、その水を分析することによって、地盤上層部２ａからの汚染水透過の有無やその透過状況を確認することができる。
【００５５】
即ち、廃棄物処分場跡地の地盤上層部２ａに滞留する水は、高アルカリ、高塩分濃度、還元的な状態であることから、観測用管体１２内より採取した水について、ｐＨ、塩分濃度、電気伝導度、酸化還元電位、ＣＯＤ（化学的酸素要求量）、ＢＯＤ（生物化学的酸素要求量）等の各項目を測定し、廃棄物処分場跡地の地盤上層部２ａに滞留する水や周辺部の地下水との比較を行うことにより、観測用管体１２と不透水層部２ｂとの境界部を通じた地盤上層部２ａからの汚染水透過の有無やその透過状況を確認することができる。
【００５６】
また、観測用管体１２は、廃棄物処分場跡地の高度利用に際し使用される基礎杭１と同様の形状を有し、当該基礎杭１と同様の工法で地盤２に設置されるので、この観測用管体１２を用いて地盤上層部２ａからの汚染水透過の有無やその透過状況を確認することで、使用する基礎杭１の杭と不透水層部２ｂとの境界部を通じた汚染水透過の有無及びその透過状況を評価することができる。
【００５７】
更に、観測用管体１２は、廃棄物処分場跡地の高度利用に際し使用される基礎杭１と同様に構成されているので、観測完了後は、この観測用管体１２を構造物の基礎杭１として使用することができる。
【００５８】
その際には、図３（ｈ）に示すように、観測井を構成した観測用管体１２内にコンクリート１６等を充填し、少なくとも有孔部１１部分を補強することにより、基礎杭１としての安定・安全性を高めるようにする。
【００５９】
尚、上述の実施例では、観測用管体１２の所望の位置に一つの有孔部１１を備えた場合について説明したが、支持地盤２ｄまでの深さや基礎杭１（観測用管体１２）の打設深度が不明確な場合には、図５に示すように、観測用管体１２に管軸方向で間隔を置いて複数の有孔部１１，１１...を形成しておき、複数の有孔部１１の少なくとも何れか一が不透水層部２ｂに位置するように観測用管体１２を地盤２に貫入させるようにしてもよい。
【００６０】
その場合には、不透水層部２ｂより上方に位置する有孔部１１の各取水孔１０，１０...を閉鎖し、地盤上層部２ａから観測用管体１２内への水の流入を防止するとともに、不透水層部２ｂに位置する最も下の有孔部１１の下方を遮蔽体１４で閉鎖し、観測用管体１２内への地盤下層部２ｃからの水の流入を防止する。
【００６１】
尚、不透水層部２ｂより上方、即ち、地盤上層部２ａに位置する有孔部１１は、例えば、観測用管体１２の上部外側に下端が不透水層部２ｂまで根入れされるケーシング１７を備え、観測用管体１２の上部を二重管構造とすることで取水孔１０，１０...を閉鎖するようにしている。
【００６２】
その場合には、観測用管体１２を構成するケーシング１７内の土砂を掘削しつつ、下端が不透水層部２ｂに至るまでケーシング１７を地盤上層部２ａに貫入させた後、ケーシング１７内を通して観測用管体１２の本体部を地盤に貫入させるようにしてもよい。
【００６３】
また、観測用管体１２の設置態様は、上述の実施例に限定されず、例えば、図６（ａ）〜図６（ｆ）に示すようにしてもよい。尚、上述の実施例と同様の構成には同一符号を付して説明する。
【００６４】
この場合には、まず、上述の図３（ａ）〜図３（ｂ）に示す場合と同様に、図示しないハンマーグラブやオーガ等の掘削手段を用いて杭管材１ａ，１ａ...内の土砂を掘削しつつ、下端が不透水層部２ｂに至るまで杭管材１ａを貫入させて地盤上層部２ａに貫通させ、その地表に突出した杭管材１ａ，１ａ...の上端に有孔管材１３を溶接等により連結する(図６（ａ）〜図６（ｂ）)。
【００６５】
そして、その状態から図６（ｃ）〜図６（ｅ）に示すように、杭打ち機等により打撃を加えて観測用管体１２を有孔部１１が不透水層部２ｂに位置し、且つ、下端が支持地盤２ｄに至るまで地盤２に貫入させる。
【００６６】
その際、図６（ｃ）に示すように、観測用管体１２の下端開口が不透水層部２ｂを構成する土砂２ｂａで閉塞され、その状態で観測用管体１２を打ち込むことで管内底部の位置が観測用管体１２を打ち込みに伴って低下し、管内底部が有孔部１１の位置よりもかなり下方に位置し、有孔部１１より下側に一定深さの空洞１７が形成される。
【００６７】
そこで、図６（ｆ）に示すように、当該空洞１７部にコンクリートを充填し遮蔽体１４を形成して観測井とし、この観測井より採取した水を分析することにより地下水を観測する。
【００６８】
尚、管内底部が有孔部１１の位置よりもかなり下方に位置し、有孔部１１より下側に一定深さの空洞が形成される場合にあっては、図７、図８に示すように、有孔部１１下にある観測用管体１２の内側面に遮蔽板２０を支持する支持凸部２１，２１...を備えておき、支持凸部２１，２１...に支持させた遮蔽板２０上にコンクリート等の遮蔽用充填材２２を充填することで遮蔽体１４を形成するようにしてもよい。
【００６９】
支持凸部２１，２１...は、観測用管体１２を構成する有孔管材１３の内側面に管周方向に間隔を置いて突設されたリブ状に形成され、その上面で遮蔽板２０を支持するようになっている。
【００７０】
遮蔽板２０は、コンクリート板又は鉄板等により構成され、観測用管体１２の中空部断面形状に整合させた形状、ここでは円形状に形成され、支持凸部２１，２１...に支持されて観測用管体１２内を閉鎖するようになっている。
【００７１】
また、遮蔽板２０の外縁と観測用管材１３の内側面との間には、スポンジ、ゴム、ウレタン等からなる緩衝材２３が介在されている。
【００７２】
更に、観測用管体１２は、その態様が上述の実施例に限定されず、図９に示すように、他の部分の厚みｔ１よりも有孔部１１の管径方向の厚みｔ２が厚く形成されているようにし、或いは、観測用管体１２全体の管径方向の厚みを厚くし、取水孔１０，１０...による断面欠損を補強するようにしてもよい。図９において、有孔部１１は、その他の部分（厚みｔ１の部分）に対し内側に向けて厚みを増した形状とした例について説明したが、その他の部分（厚みｔ１の部分）に対し外側に向けて厚みを増した形状としてもよい。
【００７３】
また、上述の実施例では、廃棄物最終処分場跡地における地下水の観測を例に説明したが、本発明の適用範囲はこれに限定されず、例えば、不透水層部の上に汚染土壌が存在するような土壌汚染区域にも適用することができる。
【符号の説明】
【００７４】
１  基礎杭
１ａ  杭管体
２  地盤
２ａ  地盤上層部
２ｂ  不透水層部
２ｃ  地盤下層部
２ｄ  支持地盤
１０  取水孔
１１  有孔部
１２  観測用管体
１３  有孔管材
１４  遮蔽体
１５  揚水手段
１６  コンクリート
２０  遮蔽板
２１  支持凸部
２２  遮蔽用充填材
２３  緩衝材
【図１】
0006432863.tif 000002
【図２】
0006432863.tif 000003
【図３】
0006432863.tif 000004
【図４】
0006432863.tif 000005
【図５】
0006432863.tif 000006
【図６】
0006432863.tif 000007
【図７】
0006432863.tif 000008
【図８】
0006432863.tif 000009
【図９】
0006432863.tif 000010
【図１０】
0006432863.tif 000011